【手続補正書】
【提出日】平成25年12月3日(2013.12.3)
【手続補正１】
【補正対象書類名】特許請求の範囲
【補正対象項目名】全文
【補正方法】変更
【補正の内容】
【特許請求の範囲】
【請求項１】
画像効果を加えて撮影を行う撮影機器において、
撮影画像に上記画像効果に応じた画像処理を行う画像処理部と、
上記画像処理された撮影画像を記録する画像記録部と、
複数用意された画像効果の中から使用する１以上の画像効果を選択するためのメニューとして、上記画像効果を複数選択できるように上記画像効果を示す項目を配列して表示する第１のメニュー、または当該第１のメニューにさらに選択した画像効果の効果レベルを調整できる画面を加えた第２のメニューを表示するメニュー表示制御部と、
上記第１または第２のメニューで選択された画像効果で上記画像処理部で画像処理された撮影画像からなるライブビュー画像に、上記第１または第２のメニューを重畳させて表示する画像表示制御部と、
を備えることを特徴とする撮影機器。
【請求項２】
上記画像効果は、少なくとも１つ以上の画像処理を重ね合わせた処理であることを特徴とする請求項１に記載の撮影機器。
【請求項３】
上記メニュー表示制御部は、上記第１または第２のメニューで項目が選択された場合に、当該選択された項目に対して画像処理上で共に設定することが相反する項目を、当該第１または第２のメニュー上で識別可能に表示することを特徴とする請求項１に記載の撮影機器。
【請求項４】
上記第１または第２のメニューで選択された画像効果に応じた画像処理を実行させるように上記画像処理部を制御し、当該画像処理がなされた画像を記録するように上記画像記録部を制御するエフェクト制御部を有し、
上記エフェクト制御部は、動画撮影時には、選択された画像効果の画像効果レベルを、撮影中一定にするかあるいは変化させるかを指示に応じて切換えるように制御することを特徴とする請求項１に記載の撮影機器。
【請求項５】
所定時間分以上の画像を一時的に格納可能な画像メモリを備え、
上記エフェクト制御部は、撮影終了に合わせて上記画像効果レベルを変化させる場合には、少なくとも上記変化させる時間分の最新の画像を撮影中に上記画像メモリに格納させ、撮影終了後に、上記画像メモリに格納された上記変化させる時間分の画像について画像処理を行わせるように上記画像処理部を制御し、当該画像処理された撮影画像を記録させるよう上記記録部を制御することを特徴とする請求項４に記載の撮影機器。
【請求項６】
画像効果を加えて動画撮影を行う撮影機器において、
動画像の上記画像効果に応じた画像処理を行う画像処理部と、
上記画像処理された動画像を記録する画像記録部と、
画像を一時的に格納する画像メモリと、
上記画像処理部と画像記録部と画像メモリを制御して、上記画像効果を加えた動画撮影を記録させるエフェクト制御部と、
上記画像効果に応じて上記画像処理部で画像処理された動画像を、ライブビュー画像として表示する画像表示制御部と、
を備え、
上記エフェクト制御部は、撮影終了に到るまでの期間であるエンディング期間中に上記画像効果が変化するような画像を得るために、少なくとも上記変化させる時間分の最新の画像を撮影中に上記画像メモリに格納させ、撮影終了指示があった後に、上記画像メモリに格納された上記変化させる時間分の画像について画像処理を行わせるように上記画像処理部を制御し、当該画像処理された撮影画像を記録させるよう上記記録部を制御し、
上記画像表示制御部は、撮影終了前までは、エンディング期間中に格納されていない動画像をライブビュー画像として表示し、撮影終了後に、エンディング期間用に画像効果が施された画像を表示する、
ことを特徴とする撮影機器。
【請求項７】
画像処理を行う画像処理機器において、
画像を表示する表示部と、
表示画像に画像効果を加える画像処理を行う画像処理部と、
複数用意された画像効果の中から使用する１以上の画像効果を選択するためのメニューとして、上記画像効果を複数選択できるように上記画像効果を示す項目を配列して表示する第１のメニュー、または当該第１のメニューにさらに選択した画像効果の効果レベルを調整できる画面を加えた第２のメニューを表示するメニュー表示制御部と、
上記第１または第２のメニューで選択された画像効果で上記画像処理部で画像処理された表示画像に、上記第１または第２のメニューを重畳させて表示する画像表示制御部と、
を備えることを特徴とする画像処理機器。
【請求項８】
上記画像効果は、少なくとも１つ以上の画像処理を重ね合わせた処理であることを特徴とする請求項７に記載の画像処理機器。
【請求項９】
上記メニュー表示制御部は、上記第１または第２のメニューで項目が選択された場合に、当該選択された項目に対して画像処理上で共に設定することが相反する項目を、当該第１または第２のメニュー上で識別可能に表示することを特徴とする請求項７に記載の画像処理機器。
【請求項１０】
画像を表示し、
表示画像に画像効果を加える画像処理を行い、
複数用意された画像効果の中から使用する１以上の画像効果を選択するためのメニューとして、上記画像効果を複数選択できるように上記画像効果を示す項目を配列して表示する第１のメニュー、または当該第１のメニューにさらに選択した画像効果の効果レベルを調整できる画面を加えた第２のメニューを表示し、
上記第１または第２のメニューで選択された画像効果で画像処理された表示画像に、上記第１または第２のメニューを重畳させて表示する、
ことを特徴とする画像処理方法。
【請求項１１】
上記第１または第２のメニューで項目が選択された場合に、当該選択された項目に対して画像処理上で共に設定することが相反する項目を、当該第１または第２のメニュー上で識別可能に表示することを特徴とする請求項１０に記載の画像処理方法。
【手続補正２】
【補正対象書類名】明細書
【補正対象項目名】発明の名称
【補正方法】変更
【補正の内容】
【発明の名称】撮影機器、画像処理機器、および画像処理方法
【手続補正３】
【補正対象書類名】明細書
【補正対象項目名】０００１
【補正方法】変更
【補正の内容】
【０００１】
本発明は、画像効果を加えて撮影を行うことが可能な撮影機器、画像処理機器、および画像処理方法に関する。
【手続補正４】
【補正対象書類名】明細書
【補正対象項目名】０００６
【補正方法】変更
【補正の内容】
【０００６】
本発明は、このような事情を鑑みてなされたものであり、画像効果を多彩に使いこなすことのできる表示制御が可能な撮影機器、画像処理機器、および画像処理方法を提供することを目的とする。
【手続補正５】
【補正対象書類名】明細書
【補正対象項目名】０００７
【補正方法】変更
【補正の内容】
【０００７】
上記目的を達成するため第１の発明に係わる撮影機器は、画像効果を加えて撮影を行う撮影機器において、撮影画像に上記画像効果に応じた画像処理を行う画像処理部と、上記画像処理された撮影画像を記録する画像記録部と、複数用意された画像効果の中から使用する１以上の画像効果を選択するためのメニューとして、上記画像効果を複数選択できるように上記画像効果を示す項目を配列して表示する第１のメニュー、または当該第１のメニューにさらに選択した画像効果の効果レベルを調整できる画面を加えた第２のメニューを表示するメニュー表示制御部と、上記第１または第２のメニューで選択された画像効果で上記画像処理部で画像処理された撮影画像からなるライブビュー画像に、上記第１または第２のメニューを重畳させて表示する画像表示制御部と、を備える。
【手続補正６】
【補正対象書類名】明細書
【補正対象項目名】０００８
【補正方法】変更
【補正の内容】
【０００８】
第２の発明に係わる撮影機器は、上記第１の発明において、上記画像効果は、少なくとも１つ以上の画像処理を重ね合わせた処理である。
第３の発明に係わる撮影機器は、上記第１の発明において、上記メニュー表示制御部は、上記第１または第２のメニューで項目が選択された場合に、当該選択された項目に対して画像処理上で共に設定することが相反する項目を、当該第１または第２のメニュー上で識別可能に表示する。
【手続補正７】
【補正対象書類名】明細書
【補正対象項目名】０００９
【補正方法】変更
【補正の内容】
【０００９】
第４の発明に係わる撮影機器は、上記第１の発明において、上記第１または第２のメニューで選択された画像効果に応じた画像処理を実行させるように上記画像処理部を制御し、当該画像処理がなされた画像を記録するように上記画像記録部を制御するエフェクト制御部を有し、上記エフェクト制御部は、動画撮影時には、選択された画像効果の画像効果レベルを、撮影中一定にするかあるいは変化させるかを指示に応じて切換えるように制御する。
【手続補正８】
【補正対象書類名】明細書
【補正対象項目名】００１０
【補正方法】変更
【補正の内容】
【００１０】
第５の発明に係わる撮影機器は、上記第４の発明において、所定時間分以上の画像を一時的に格納可能な画像メモリを備え、上記エフェクト制御部は、撮影終了に合わせて上記画像効果を変化させる場合には、少なくとも上記変化させる時間分の最新の画像を撮影中に上記画像メモリに格納させ、撮影終了指示後に、上記画像メモリに格納された上記変化させる時間分の画像について画像処理を行わせるように上記画像処理部を制御し、当該画像処理された撮影画像を記録させるよう上記記録部を制御する。
【手続補正９】
【補正対象書類名】明細書
【補正対象項目名】００１１
【補正方法】変更
【補正の内容】
【００１１】
第６の発明に係わる撮影機器は、画像効果を加えて動画撮影を行う撮影機器において、動画像の上記画像効果に応じた画像処理を行う画像処理部と、上記画像処理された動画像を記録する画像記録部と、画像を一時的に格納する画像メモリと、上記画像処理部と画像記録部と画像メモリを制御して、上記画像効果を加えた動画撮影を記録させるエフェクト制御部と、上記画像効果に応じて上記画像処理部で画像処理された動画像を、ライブビュー画像として表示する画像表示制御部と、を備え、上記エフェクト制御部は、撮影終了に到るまでの期間であるエンディング期間中に上記画像効果が変化するような画像を得るために、少なくとも上記変化させる時間分の最新の画像を撮影中に上記画像メモリに格納させ、撮影終了指示があった後に、上記画像メモリに格納された上記変化させる時間分の画像について画像処理を行わせるように上記画像処理部を制御し、当該画像処理された撮影画像を記録させるよう上記記録部を制御し、上記画像表示制御部は、撮影終了前までは、エンディング期間中に格納されていない動画像をライブビュー画像として表示し、撮影終了後に、エンディング期間用に画像効果が施された画像を表示する。
第７の発明に係わる画像処理機器は、画像処理を行う画像処理機器において、画像を表示する表示部と、表示画像に画像効果を加える画像処理を行う画像処理部と、複数用意された画像効果の中から使用する１以上の画像効果を選択するためのメニューとして、上記画像効果を複数選択できるように上記画像効果を示す項目を配列して表示する第１のメニュー、または当該第１のメニューにさらに選択した画像効果の効果レベルを調整できる画面を加えた第２のメニューを表示するメニュー表示制御部と、上記第１または第２のメニューで選択された画像効果で上記画像処理部で画像処理された表示画像に、上記第１または第２のメニューを重畳させて表示する画像表示制御部と、を備える。
第８の発明に係わる画像処理機器は、上記第７の発明において、上記画像効果は、少なくとも１つ以上の画像処理を重ね合わせた処理である。
第９の発明に係わる画像処理機器は、上記第７の発明において、上記メニュー表示制御部は、上記第１または第２のメニューで項目が選択された場合に、当該選択された項目に対して画像処理上で共に設定することが相反する項目を、当該第１または第２のメニュー上で識別可能に表示する。
第１０の発明に係わる画像処理方法は、 画像を表示し、表示画像に画像効果を加える画像処理を行い、複数用意された画像効果の中から使用する１以上の画像効果を選択するためのメニューとして、上記画像効果を複数選択できるように上記画像効果を示す項目を配列して表示する第１のメニュー、または当該第１のメニューにさらに選択した画像効果の効果レベルを調整できる画面を加えた第２のメニューを表示し、上記第１または第２のメニューで選択された画像効果で画像処理された表示画像に、上記第１または第２のメニューを重畳させて表示する。
第１１の発明に係わる画像処理方法は、上記第１０の発明において、上記第１または第２のメニューで項目が選択された場合に、当該選択された項目に対して画像処理上で共に設定することが相反する項目を、当該第１または第２のメニュー上で識別可能に表示する。
【手続補正１０】
【補正対象書類名】明細書
【補正対象項目名】００１２
【補正方法】変更
【補正の内容】
【００１２】
第１、第６、第７、及び第１０の発明によれば、画像効果を多彩に使いこなすことのできる表示制御が可能な撮影機器、画像処理機器、及び画像処理方法を提供することができる。
【手続補正１１】
【補正対象書類名】明細書
【補正対象項目名】００１３
【補正方法】変更
【補正の内容】
【００１３】
また、第３、第９、及び第１１の発明によれば、相反する項目を区別して表示することができるので、操作時に途惑うおそれがない。第４の発明によれば、画像効果に変化をつけることもできるので、よりメリハリのある撮影画像を得ることができる。第５の発明によれば、再生時に処理を行わなくても、撮影場面で、撮影終了に合わせて画像効果が加えることができる。
【手続補正１２】
【補正対象書類名】明細書
【補正対象項目名】００２８
【補正方法】変更
【補正の内容】
【００２８】
画像記録・再生部２１は、圧縮伸張部２０において圧縮された動画や静止画の画像データを画像記憶部２２に記憶し、また、画像記憶部２２に記憶された動画や静止画の画像データを読み出す。この読み出された画像データは、圧縮伸張部２０において伸張され、この伸張された画像データに基づいて、表示部１９に画像が再生表示される。
【手続補正１３】
【補正対象書類名】明細書
【補正対象項目名】００５６
【補正方法】変更
【補正の内容】
【００５６】
以上のように、本実施形態においては、一旦、ＳＤＲＡＭ１６に画像データを一時記憶し、所定時間経過後（図８の例では５秒後）に、ＳＤＲＡＭ１６から画像データを読み出し、この読み出した画像データにエフェクトに応じて画像処理を施し、この画像処理を施した画像データを画像記憶部２２に記録する。つまり、エンディング処理時間分だけエフェクト処理の開始を遅くしているので、撮影終了が指示された後でも、エンディング処理に対処することができる。本実施形態においては、撮影終了の所定時間前（図８（ａ）では３秒）の時刻ｔ１２から、Ｌ１２ａに示すようにトイフォトＴＰのエフェクトが徐々に増加するように施され、撮影終了時刻ｔ１３において画像が終了する。
【手続補正１４】
【補正対象書類名】図面
【補正対象項目名】図９
【補正方法】変更
【補正の内容】
【図９】
2012124608.tif 000001